【事件の表示】
　特願２００２−５２５１１７「グリコゲンシンターゼキナーゼ３のインヒビター」拒絶査定不服審判事件〔平成１４年　３月１４日国際公開、ＷＯ０２／２０４９５、平成１６年　５月２０日国内公表、特表２００４−５１４６５６〕について、次のとおり審決する。
【結　論】
　本件審判の請求は、成り立たない。
【理　由】
１．手続の経緯 
　本願は，２００１年　９月　６日〔パリ条約による優先権主張外国庁受理　２０００年　９月　６日　アメリカ合衆国（ＵＳ）〕を国際出願日とする出願であって，その発明の名称は「グリコゲンシンターゼキナーゼ３のインヒビター」というものである。本願については，平成１８年１２月２５日付けで拒絶理由通知があったのち，平成１９年　６月２６日付けで意見書及び手続補正書が提出され，平成２０年　３月１７日付けで拒絶査定がなされたため，これに対し，平成２０年　６月１７日に拒絶査定に対する審判請求がされるとともに，平成２０年　７月１０日付けで手続補正書が提出されている。そして，平成２２年１０月２２日付け（発送日：平成２２年１０月２５日）で指定期間を３ヶ月とする審尋がされたが，出願人側からは指定期間を経過しても何ら回答がなかった。
　 
２．原査定の拒絶の理由 
　原査定の拒絶の理由は，本願は明細書の発明の詳細な説明の記載が特許法３６条４項に規定する要件を満たしておらず，また，特許請求の範囲の記載が同法３６条６項１号に規定する要件を満たしていないというものである。 
　 
３．本願請求項に記載された発明 
　平成２０年　７月１０日付け手続補正書による特許請求の範囲についての補正は，実質的には請求項の削除を目的とするものと認められる。
　本願発明は，平成２０年　７月１０日付け手続補正書により補正された明細書（以下，これを「本願明細書」という。）の特許請求の範囲の請求項１〜６４に記載されたとおりのものと認められ，請求項１〜６４の記載は以下のとおりである（なお，以下，本審決においては，上付・下付の小さい文字も通常の大きさの文字で表記している。）。
 
「 【請求項１】　以下の構造： 
【化１】 
（式は省略） 
を有する化合物またはその薬学的に受容可能な塩であって、 
　ここで： 
　Ｗは、必要に応じて置換された、炭素または窒素であり； 
　ＸおよびＹは、窒素であり； 
　Ａは、以下の式： 
【化２】 
（式は省略） 
を有し、 
　ここで、Ｒ８およびＲ９は、水素、ヒドロキシ、ニトロ、アミノ、シアノ、ハロ、チオアミド、アミジノ、オキサミジノ、アルコキシアミジノ、イミジノ、グアニジニル、スルホンアミド、カルボキシル、ホルミル、低級アルキル、アミノ低級アルキル、低級アルキルアミノ低級アルキル、ハロ低級アルキル、低級アルコキシ、ハロ低級アルコキシ、低級アルコキシアルキル、低級アルキルアミノ低級アルコキシ、低級アルキルカルボニル、低級アラルキルカルボニル、低級ヘテロアラルキルカルボニル、アルキルチオ、アリール、および、アラルキルからなる群より独立して選択される； 
　Ｒ１、Ｒ２、Ｒ３、およびＲ４は、水素、ヒドロキシル、ならびに必要に応じて置換された、低級アルキル、シクロ低級アルキル、環状アミノアルキル、アルキルアミノアルキル、低級アルコキシ、アミノ、アルキルアミノ、アルキルカルボニル、アリールカルボニル、アラルキルカルボニル、ヘテロアリールカルボニル、ヘテロアラルキルカルボニル、アリールおよびヘテロアリールからなる群より独立して選択され、そしてＲ’２およびＲ’３は、水素、および必要に応じて置換された低級アルキルからなる群より独立して選択され； 
　Ｒ５およびＲ７は、水素、ハロ、ならびに必要に応じて置換された、低級アルキル、シクロアルキル、アルコキシ、アミノ、アミノアルコキシ、アルキルアミノ、アラルキルアミノ、ヘテロアラルキルアミノ、アリールアミノ、ヘテロアリールアミノ、シクロイミド、ヘテロシクロイミド、アミジノ、シクロアミジノ、ヘテロシクロアミジノ、グアニジニル、アリール、ビアリール、ヘテロアリール、ヘテロビアリール、ヘテロシクロアルキル、およびアリールスルホンアミドからなる群より独立して選択され； 
　Ｒ６は、以下の構造： 
【化４】 
（式は省略） 
を有するモノケトピペラジニル基であり、 
　ここで、Ｒ１５およびＲ１６は独立して、水素、低級アルキル、低級アルキニル、アリール、ヘテロアリール、アリール低級アルキル、低級アルキルアリール低級アルキル、ハロ低級アルキル、ハロアリール低級アルキル、炭素環および複素環からなる群から選択されるか；あるいは、Ｒ１６は、別のＲ１６またはＲ１５とともに、炭素環、複素環またはアリール環を形成し得；そしてｏは１と６との間の整数である、 
化合物。 
　　【請求項２】　請求項１に記載の化合物であって、ここで、Ａが、アミノピリジル、ニトロピリジル、アミノニトロピリジル、シアノピリジル、アミノシアノピリジル、トリフルオロメチルピリジル、メトキシピリジル、メトキシニトロピリジル、およびメトキシシアノピリジルからなる群より選択される、化合物。 
　　【請求項３】　請求項１に記載の化合物であって、ここで、Ｒ１、Ｒ２、Ｒ’２、Ｒ３、Ｒ’３、およびＲ４のうち少なくとも１つが、非置換または置換の、低級アルキル、ハロ低級アルキル、ヘテロシクロアミノアルキルおよび低級アルキルアミノ低級アルキルからなる群から選択される、化合物。 
　　【請求項４】　請求項３に記載の化合物であって、ここで、Ｒ１、Ｒ２、Ｒ’２、Ｒ３、Ｒ’３、およびＲ４のうち少なくとも１つが、低級アルキルアミノ低級アルキルである、化合物。 
　　【請求項５】　請求項３に記載の化合物であって、ここで、Ｒ１、Ｒ２、Ｒ’２、Ｒ３、およびＲ’３が水素でありそしてＲ４が水素、メチル、エチル、アミノエチル、ジメチルアミノエチル、ピリジルエチル、ピペリジニル、ピロリジニルエチル、ピペラジニルエチルおよびモルホリニルエチルからなる群から選択される、化合物。 
　　【請求項６】　請求項１に記載の化合物であって、ここで、Ｒ５およびＲ７のうちの少なくとも１つが、置換および非置換の、アリール、ヘテロアリールおよびビアリールからなる群より選択される、化合物。 
　　【請求項７】　請求項６に記載の化合物であって、ここで、Ｒ５およびＲ７のうちの少なくとも１つが、以下の式： 
【化３】 
（式は省略） 
の置換または非置換部分であり、 
　ここで、Ｒ１０、Ｒ１１、Ｒ１２、Ｒ１３およびＲ１４は独立して、水素、ニトロ、アミノ、シアノ、ハロ、チオアミド、カルボキシル、ヒドロキシ、ならびに必要に応じて置換された、低級アルキル、低級アルコキシ、低級アルコキシアルキル、ハロ低級アルキル、ハロ低級アルコキシ、アミノアルキル、アルキルアミノ、アミノアルキルアルキニル、アルキルアミノアルキルアルキニル、アルキルチオ、アルキルカルボニルアミノ、アラルキルカルボニルアミノ、ヘテロアラルキルカルボニルアミノ、アリールカルボニルアミノ、ヘテロアリールカルボニルアミノ、アミノカルボニル、低級アルキルアミノカルボニル、アミノアラルキル、低級アルキルアミノアルキル、アリール、ヘテロアリール、シクロへテロアリール、アラルキル、アルキルカルボニルオキシ、アリールカルボニルオキシ、アラルキルカルボニルオキシ、アリールカルボニルオキシアルキル、アルキルカルボニルオキシアルキル、ヘテロアリールカルボニルオキシアルキル、アラルキルカルボニルオキシアルキルおよびヘテロアラルキルカルボニルオキシアルキルからなる群から選択される、化合物。 
　　【請求項８】　請求項７に記載の化合物であって、ここで、Ｒ１０、Ｒ１１、Ｒ１３およびＲ１４が水素であり、そしてＲ１２がハロ、低級アルキル、ヒドロキシ、低級アルコキシ、ハロ低級アルキル、アミノカルボニル、アルキルアミノカルボニルおよびシアノからなる群から選択される、化合物。 
　　【請求項９】　請求項７に記載の化合物であって、ここで、Ｒ１１、Ｒ１３、Ｒ１４が水素であり、そしてＲ１０およびＲ１２が独立して、ハロ、低級アルキル、ヒドロキシ、低級アルコキシ、ハロ低級アルキルおよびシアノからなる群から選択される、化合物。
　　【請求項１０】　請求項７に記載の化合物であって、ここで、Ｒ１０、Ｒ１１、Ｒ１３、およびＲ１４が、水素であり、そしてＲ１２が、ヘテロアリールである、化合物。 
　　【請求項１１】　請求項７に記載の化合物であって、ここで、Ｒ１０、Ｒ１１、Ｒ１３、およびＲ１４が、水素であり、そしてＲ１２が、ヘテロシクロアルキルである、化合物。 
　　【請求項１２】　請求項７に記載の化合物であって、ここで、Ｒ１０、Ｒ１１、Ｒ１２、Ｒ１３、およびＲ１４のうちの少なくとも１つが、ハロであり、そしてＲ１０、Ｒ１１、Ｒ１２、Ｒ１３、およびＲ１４の残りが、水素である、化合物。 
　　【請求項１３】　請求項７に記載の化合物であって、ここで、Ｒ５およびＲ７のうち少なくとも１つは、ジクロロフェニル、ジフルオロフェニル、トリフルオロメチルフェニル、クロロフルオロフェニル、ブロモクロロフェニル、エチルフェニル、メチルクロロフェニル、イミダゾリルフェニル、シアノフェニル、モルホリノフェニルおよびシアノクロロフェニルからなる群から選択される、化合物。 
　　【請求項１４】　請求項１に記載の化合物であって、ここで、Ｒ１５が低級アルキルである、化合物。 
　　【請求項１５】　請求項１４に記載の化合物であって、ここで、Ｒ１５が、メチル、エチル、ｎ−プロピル、イソプロピル、シクロプロピル、ｎ−ブチル、イソ−ブチルまたはｔ−ブチルからなる群から選択され得る、化合物。 
　　【請求項１６】　請求項１に記載の化合物であって、ここで、Ｒ１５が、Ｒ１６と一緒になって、以下の構造： 
【化５】 
（式は省略） 
を有する基を形成する、化合物。 
　　【請求項１７】　請求項１に記載の化合物であって、ここで、Ｒ１５が、Ｒ１６と一緒になって、以下の構造： 
【化６】 
（式は省略） 
を有する基を形成する、化合物。 
　　【請求項１８】　以下の構造： 
【化７】 
（式は省略） 
を有する化合物またはその薬学的に受容可能な塩であって、 
　ここで、 
　Ｘが、窒素であり； 
　Ｒ１、Ｒ２、Ｒ３、およびＲ４は、水素、ヒドロキシル、ならびに必要に応じて置換された、低級アルキル、シクロ低級アルキル、環状アミノアルキル、アルキルアミノアルキル、低級アルコキシ、アミノ、アルキルアミノ、アルキルカルボニル、アリールカルボニル、アラルキルカルボニル、ヘテロアリールカルボニル、ヘテロアラルキルカルボニル、アリールおよびヘテロアリールからなる群より独立して選択され； 
　Ｒ５は、水素、ハロ、ならびに必要に応じて置換された、低級アルキル、シクロアルキル、アルコキシ、アミノ、アミノアルコキシ、アルキルアミノ、アラルキルアミノ、ヘテロアラルキルアミノ、アリールアミノ、ヘテロアリールアミノシクロイミド、ヘテロシクロイミド、アミジノ、シクロアミジノ、ヘテロシクロアミジノ、グアニジニル、アリール、ビアリール、ヘテロアリール、ヘテロビアリール、ヘテロシクロアルキル、およびアリールスルホンアミドからなる群より独立して選択され； 
　Ｒ６は、以下の構造： 
【化８】 
（式は省略） 
を有するモノケトピペラジニル基であり、 
　ここで、Ｒ１５およびＲ１６は独立して、水素、低級アルキル、低級アルキニル、アリール、ヘテロアリール、アリール低級アルキル、低級アルキルアリール低級アルキル、ハロ低級アルキル、ハロアリール低級アルキル、炭素環および複素環からなる群から選択されるか；または、Ｒ１６は別のＲ１６またはＲ１５とともに、炭素環、複素環またはアリール環を形成し得；そしてｏは１と６との間の整数であり； 
　Ｒ８およびＲ９は、水素、ヒドロキシ、ニトロ、アミノ、シアノ、ハロ、チオアミド、アミジノ、オキサミジノ、アルコキシアミジノ、イミジノ、グアニジニル、スルホンアミド、カルボキシル、ホルミル、低級アルキル、アミノ低級アルキル、低級アルキルアミノ低級アルキル、ハロ低級アルキル、低級アルコキシ、ハロ低級アルコキシ、低級アルコキシアルキル、低級アルキルアミノ低級アルコキシ、低級アルキルカルボニル、低級アラルキルカルボニル、低級ヘテロアラルキルカルボニル、アルキルチオ、アリール、および、アラルキルからなる群より独立して選択され； 
　Ｒ１０、Ｒ１１、Ｒ１２、Ｒ１３およびＲ１４は独立して、水素、ニトロ、アミノ、シアノ、ハロ、チオアミド、カルボキシル、ヒドロキシ、ならびに必要に応じて置換された、低級アルキル、低級アルコキシ、低級アルコキシアルキル、ハロ低級アルキル、ハロ低級アルコキシ、アミノアルキル、アルキルアミノ、アルキルチオ、アルキルカルボニルアミノ、アラルキルカルボニルアミノ、ヘテロアラルキルカルボニルアミノ、アリールカルボニルアミノ、ヘテロアリールカルボニルアミノ、アミノカルボニル、低級アルキルアミノカルボニル、アミノアラルキル、低級アルキルアミノアルキル、アリール、ヘテロアリール、シクロへテロアリール、アラルキル、アルキルカルボニルオキシ、アリールカルボニルオキシ、アラルキルカルボニルオキシ、アリールカルボニルオキシアルキル、アルキルオキシカルボニルアルキル、ヘテロアリールカルボニルオキシアルキル、アラルキルカルボニルオキシアルキルおよびヘテロアラルキルカルボニルオキシアルキルからなる群から選択される、化合物。 
　　【請求項１９】　請求項１８に記載の化合物であって、ここで、Ｒ８およびＲ９のうちの少なくとも１つが、ニトロ、アミノ、シアノ、トリフルオロメチル、および低級アルコキシからなる群より選択される、化合物。 
　　【請求項２０】　請求項１８に記載の化合物であって、ここで、Ｒ１、Ｒ２、Ｒ３およびＲ４のうちの少なくとも１つが、非置換または置換の低級アルキル、ハロ低級アルキル、ヘテロシクロアミノアルキル、アミノ低級アルキルおよび低級アルキルアミノ低級アルキルからなる群より選択される、化合物。 
　　【請求項２１】　請求項１８に記載の化合物であって、ここで、Ｒ１、Ｒ２、Ｒ３およびＲ４のうちの少なくとも１つが、低級アルキルアミノ低級アルキルである、化合物。
　　【請求項２２】　請求項１８に記載の化合物であって、ここで、Ｒ１、Ｒ２、およびＲ３が、水素であり、そしてＲ４が、水素、メチル、エチル、アミノエチル、ジメチルアミノエチル、ピリジルエチル、ピペリジニル、ピロリジニルエチル、ピペラジニルエチルおよびモルホリニルエチルからなる群から選択される、化合物。 
　　【請求項２３】　請求項１８に記載の化合物であって、ここで、Ｒ５が、水素、ならびに置換および非置換の、アリール、ヘテロアリールおよびビアリールからなる群より選択される、化合物。 
　　【請求項２４】　請求項１８に記載の化合物であって、ここで、Ｒ１０、Ｒ１１、Ｒ１３およびＲ１４が水素であり、そしてＲ１２がハロ、低級アルキル、ヒドロキシ、低級アルコキシ、ハロ低級アルキル、アミノカルボニル、アルキルアミノカルボニルおよびシアノからなる群から選択される、化合物。 
　　【請求項２５】　請求項１８に記載の化合物であって、ここで、Ｒ１１、Ｒ１３、Ｒ１４が水素であり、そしてＲ１０およびＲ１２が独立して、ハロ、低級アルキル、ヒドロキシ、低級アルコキシ、ハロ低級アルキル、アミノカルボニルおよびシアノからなる群から選択される、化合物。 
　　【請求項２６】　請求項１８に記載の化合物であって、ここで、Ｒ１０が水素またはハロであり、Ｒ１１、Ｒ１３、およびＲ１４が、水素であり、そしてＲ１２が、ヘテロアリールである、化合物。 
　　【請求項２７】　請求項１８に記載の化合物であって、ここで、Ｒ１０が水素またはハロであり、Ｒ１１、Ｒ１３、およびＲ１４が、水素であり、そしてＲ１２が、ヘテロシクロアルキルである、化合物。 
　　【請求項２８】　請求項１８に記載の化合物であって、ここで、Ｒ１０、Ｒ１１、Ｒ１２、Ｒ１３、およびＲ１４のうちの少なくとも１つが、ハロであり、そしてＲ１０、Ｒ１１、Ｒ１２、Ｒ１３、およびＲ１４の残りが、水素である、化合物。 
　　【請求項２９】　請求項１８に記載の化合物であって、ここで、Ｒ１０、Ｒ１１、Ｒ１２、Ｒ１３、およびＲ１４が、構造ＩＶのフェニル環と一緒になって、ジクロロフェニル、ジフルオロフェニル、トリフルオロメチルフェニル、クロロフルオロフェニル、ブロモクロロフェニル、エチルフェニル、メチルクロロフェニル、イミダゾリルフェニル、シアノフェニル、モルホリノフェニルおよびシアノクロロフェニルからなる群から選択される部分を形成する、化合物。 
　　【請求項３０】　請求項１８に記載の化合物であって、ここで、Ｒ１５が、低級アルキルである、化合物。 
　　【請求項３１】　請求項３０に記載の化合物であって、ここで、Ｒ１５が、メチル、 エチル、ｎ−プロピル、イソプロピル、シクロプロピル、ｎ−ブチル、イソブチルおよびｔ−ブチルからなる群から選択され得る、化合物。 
　　【請求項３２】　請求項１８に記載の化合物であって、ここで、Ｒ１５が、Ｒ１６と一緒になって、以下の構造： 
【化９】 
（式は省略） 
を有する基を形成する、化合物。 
　　【請求項３３】　請求項１８に記載の化合物であって、ここで、Ｒ１５が、Ｒ１６と一緒になって、以下の構造： 
【化１０】 
（式は省略） 
を有する基を形成する、化合物。 
　　【請求項３４】　以下の構造： 
【化１１】 
（式は省略） 
を有する化合物またはその薬学的に受容可能な塩であって、 
　ここで： 
　Ｘが、窒素であり； 
　Ｒ１、Ｒ２、Ｒ３、およびＲ４は、水素、ヒドロキシル、および必要に応じて置換された低級アルキル、シクロ低級アルキル、環状アミノアルキル、アルキルアミノアルキル、低級アルコキシ、アミノ、アルキルアミノ、アルキルカルボニル、アリールカルボニル、アラルキルカルボニル、ヘテロアリールカルボニル、ヘテロアラルキルカルボニル、アリールおよびヘテロアリールからなる群より独立して選択され； 
　Ｒ５は、水素、ハロ、および必要に応じて置換された低級アルキル、シクロアルキル、アルコキシ、アミノ、アミノアルコキシ、アルキルアミノ、アラルキルアミノ、ヘテロアラルキルアミノ、アリールアミノ、ヘテロアリールアミノ、シクロイミド、ヘテロシクロイミド、アミジノ、シクロアミジノ、ヘテロシクロアミジノ、グアニジニル、アリール、ビアリール、ヘテロアリール、ヘテロビアリール、ヘテロシクロアルキル、およびアリールスルホンアミドからなる群より選択され； 
　Ｒ６は、以下の構造： 
【化１２】 
（式は省略） 
を有するモノケトピペラジニル基であり、 
　ここで、Ｒ１５およびＲ１６は独立して、水素、低級アルキル、低級アルキニル、アリール、ヘテロアリール、アリール低級アルキル、低級アルキルアリール低級アルキル、ハロ低級アルキル、ハロアリール低級アルキル、炭素環および複素環からなる群から選択されるか；または、Ｒ１６は別のＲ１６またはＲ１５とともに、炭素環、複素環またはアリール環を形成し得；そしてｏは１と６との間の整数であり； 
　Ｒ８およびＲ９は、水素、ヒドロキシ、ニトロ、アミノ、シアノ、ハロ、チオアミド、アミジノ、オキサミジノ、アルコキシアミジノ、イミジノ、グアニジニル、スルホンアミド、カルボキシル、ホルミル、低級アルキル、アミノ低級アルキル、低級アルキルアミノ低級アルキル、ハロ低級アルキル、低級アルコキシ、ハロ低級アルコキシ、低級アルコキシアルキル、低級アルキルアミノ低級アルコキシ、低級アルキルカルボニル、低級アラルキルカルボニル、低級ヘテロアラルキルカルボニル、アルキルチオ、アリール、および、アラルキルからなる群より独立して選択され；そして 
　Ｒ１０、Ｒ１１、Ｒ１２、Ｒ１３およびＲ１４は独立して、水素、ニトロ、アミノ、シアノ、ハロ、チオアミド、カルボキシル、ヒドロキシならびに必要に応じて置換される低級アルキル、低級アルコキシ、低級アルコキシアルキル、ハロ低級アルキル、ハロ低級アルコキシ、アミノアルキル、アルキルアミノ、アルキルチオ、アルキルアミノ、アラルキルアミノ、ヘテロアラルキルアミノ、アリールアミノ、ヘテロアリールアミノ、アミノカルボニル、低級アルキルアミノカルボニル、アミノアラルキル、低級アルキルアミノアルキル、アリール、ヘテロアリール、シクロへテロアルキル、アラルキル、アルキルカルボニルオキシ、アリールカルボニルオキシ、アラルキルカルボニルオキシ、アリールカルボニルオキシアルキル、アルキルカルボニルオキシアルキル、ヘテロアリールカルボニルオキシアルキル、アラルキルカルボニルオキシアルキルおよびヘテロアラルキルカルボニルオキシアルキルからなる群から選択され、 
　Ｒ１７は、水素、ニトロ、シアノ、アミノ、アルキル、ハロ、ハロ低級アルキル、アルキルオキシカルボニル、アミノカルボニル、アルキルスルホニルおよびアリールスルホニルからなる群より選択される、化合物。 
　　【請求項３５】　請求項３４に記載の化合物であって、ここで、Ｒ８およびＲ９のうちの少なくとも１つが、ニトロ、アミノ、シアノ、トリフルオロメチル、および低級アルコキシからなる群より選択される、化合物。 
　　【請求項３６】　請求項３４に記載の化合物であって、ここで、Ｒ１、Ｒ２、Ｒ３およびＲ４のうちの少なくとも１つが、非置換または置換の低級アルキル、ハロ低級アルキル、ヘテロシクロアミノアルキル、および低級アルキルアミノ低級アルキルからなる群より選択される、化合物。 
　　【請求項３７】　請求項３４に記載の化合物であって、ここで、Ｒ１、Ｒ２、Ｒ３およびＲ４のうちの少なくとも１つが、低級アルキルアミノ低級アルキルである、化合物。 
　　【請求項３８】　請求項３４に記載の化合物であって、ここで、Ｒ１、Ｒ２、およびＲ３が、水素であり、そしてＲ４が、水素、メチル、エチル、アミノエチル、ジメチルアミノエチル、ピリジルエチル、ピペリジニル、ピロリジニルエチル、ピペラジニルエチルおよびモルホリニルエチルからなる群から選択される、化合物。 
　　【請求項３９】　請求項３４に記載の化合物であって、ここで、Ｒ１０、Ｒ１１、Ｒ１３およびＲ１４が水素であり、そしてＲ１２がハロ、低級アルキル、ヒドロキシ、低級アルコキシ、ハロ低級アルキル、アミノカルボニル、アルキルアミノカルボニルおよびシアノからなる群から選択される、化合物。 
　　【請求項４０】　請求項３４に記載の化合物であって、ここで、Ｒ１１、Ｒ１３、Ｒ１４が水素であり、そしてＲ１０およびＲ１２が独立して、ハロ、低級アルキル、ヒドロキシ、低級アルコキシ、ハロ低級アルキル、アミノカルボニルおよびシアノからなる群から選択される、化合物。
　　【請求項４１】　請求項３４に記載の化合物であって、ここで、Ｒ１０が水素またはハロであり、Ｒ１１、Ｒ１３、およびＲ１４が、水素であり、そしてＲ１２が、ヘテロアリールである、化合物。 
　　【請求項４２】　請求項３４に記載の化合物であって、ここで、Ｒ１０が水素またはハロであり、Ｒ１１、Ｒ１３、およびＲ１４が、水素であり、そしてＲ１２が、ヘテロシクロアルキルである、化合物。 
　　【請求項４３】　請求項３４に記載の化合物であって、ここで、Ｒ１０、Ｒ１１、Ｒ１２、Ｒ１３、およびＲ１４のうちの少なくとも１つが、ハロであり、そしてＲ１０、Ｒ１１、Ｒ１２、Ｒ１３、およびＲ１４の残りが、水素である、化合物。 
　　【請求項４４】　請求項３４に記載の化合物であって、ここで、Ｒ１０、Ｒ１１、Ｒ１２、Ｒ１３、およびＲ１４が、構造ＩＶのフェニル環と一緒になって、ジクロロフェニル、ジフルオロフェニル、トリフルオロメチルフェニル、クロロフルオロフェニル、ブロモクロロフェニル、エチルフェニル、メチルクロロフェニル、イミダゾリルフェニル、シアノフェニル、モルホリノフェニルおよびシアノクロロフェニルからなる群から選択される部分を形成する、化合物。 
　　【請求項４５】　請求項３４に記載の化合物であって、ここで、Ｒ１５が低級アルキルである、化合物。 
　　【請求項４６】　請求項４５に記載の化合物であって、ここで、Ｒ１５が、メチル、エチル、ｎ−プロピル、イソプロピル、シクロプロピル、ｎ−ブチル、イソブチルまたはｔ−ブチルからなる群から選択される、化合物。
　　【請求項４７】　請求項３４に記載の化合物であって、ここで、Ｒ１５が、Ｒ１６と一緒になって、以下の構造： 
【化１３】 
（式は省略） 
を有する基を形成する、化合物。 
　　【請求項４８】　請求項３４に記載の化合物であって、ここで、Ｒ１５が、Ｒ１６と一緒になって、以下の構造： 
【化１４】 
（式は省略） 
を有する基を形成する、化合物。 
　　【請求項４９】　薬学的に受容可能なキャリアとともに、ヒト被験体または動物被験体に投与される場合に該ヒト被験体または動物被験体におけるＧＳＫ３活性を調節するのに有効な量の請求項１に記載の化合物を含む、組成物。 
　　【請求項５０】　薬学的に受容可能なキャリアとともに、ヒト被験体または動物被験体に投与される場合に該ヒト被験体または動物被験体におけるＧＳＫ３活性を調節するのに有効な量の請求項１８に記載の化合物を含む、組成物。 
　　【請求項５１】　薬学的に受容可能なキャリアとともに、ヒト被験体または動物被験体に投与される場合に該ヒト被験体または動物被験体におけるＧＳＫ３活性を調節するのに有効な量の請求項３４に記載の化合物を含む、組成物。 
　　【請求項５２】　ヒト被験体または動物被験体におけるＧＳＫ３活性を阻害するための請求項４９に記載の組成物。 
　　【請求項５３】　ヒト被験体または動物被験体におけるＧＳＫ３活性を阻害するための請求項５０に記載の組成物。 
　　【請求項５４】　ヒト被験体または動物被験体におけるＧＳＫ３活性を阻害するための請求項５１に記載の組成物。 
　　【請求項５５】　細胞を処理するための組成物であって、該組成物は、細胞中においてＧＳＫ３活性を阻害するのに有効量の請求項１に記載の化合物を含有する、組成物。
　　【請求項５６】　細胞を処理するための組成物であって、該組成物は、細胞中においてＧＳＫ３活性を阻害するのに有効量の請求項１８に記載の化合物を含有する、組成物。
　　【請求項５７】　細胞を処理するための組成物であって、該組成物は、細胞中においてＧＳＫ３活性を阻害するのに有効量の請求項３４に記載の化合物を含有する、組成物。
　　【請求項５８】　ヒト被験体または動物被験体におけるＧＳＫ３媒介障害を処置するための組成物であって、該組成物は、該被験体におけるＧＳＫ３活性を阻害するのに有効な量で投与するのに適切である、組成物。
　　【請求項５９】　請求項５８に記載の組成物であって、該組成物が、経口投与、皮下投与、経皮投与、経粘膜投与、イオン導入投与、静脈内投与、硬膜下腔内投与、頬腔投与、舌下投与、鼻腔内投与、および直腸投与からなる群から選択される、投与形態によって投与される、組成物。
　　【請求項６０】　請求項５８に記載の組成物であって、前記ＧＳＫ３媒介障害が、糖尿病、アルツハイマー病、肥満症、アテローム性動脈硬化心臓血管疾患、本態性高血圧症、多嚢胞性卵巣症候群、症候群Ｘ、虚血、外傷性脳損傷、双極性障害、免疫欠損および癌からなる群から選択される、組成物。
　　【請求項６１】　請求項６０に記載の組成物であって、該組成物は、１以上のさらなる活性剤を含有する、組成物。 
　　【請求項６２】　請求項６１に記載の組成物であって、前記ＧＳＫ３媒介障害が、糖尿病であり、そして前記さらなる活性剤が、インスリン、トログリタゾン、ロシグリタゾン、ピオグリタゾン、グリピジドおよびメトホルミンからなる群から選択される、組成物。
　　【請求項６３】　医薬として使用するための、請求項１、１８または３４に記載の化合物。 
　　【請求項６４】　以下を処置するための医薬の製造における、請求項１、１８または３４に記載の化合物の使用：糖尿病、アルツハイマー病、肥満症、アテローム性動脈硬化心臓血管疾患、本態性高血圧症、多嚢胞性卵巣症候群、症候群Ｘ、虚血、外傷性脳損傷、双極性障害、免疫欠損または癌。」 
　 
４．特許法３６条４項への適合性について 
　　
（１）特許法３６条４項の規定
　特許法３６条４項は「発明の詳細な説明は、経済産業省令で定めるところにより、その発明の属する技術の分野における通常の知識を有する者がその実施をすることができる程度に明確かつ十分に、記載しなければならない。」と規定する。発明の実施とは，物の発明の場合には，その物の生産，使用等をいい，方法の発明の場合には，その方法の使用をいうと解されている。　したがって，明細書の発明の詳細な説明の記載が３６条４項の規定に適合するためには，請求項に物の発明が記載されている場合には，明細書の記載に基づき，その発明の属する技術の分野における通常の知識を有する者（以下「当業者」という。）がその物を生産でき，使用できる程度の記載が必要であり，請求項に方法の発明が記載されている場合には，その方法を使用できる程度の記載が必要であるといえる。
　そして，一般に，化合物の構造からその薬理作用を予測することは困難であるから，ある化合物の特定の薬理作用を利用して医薬として用いるための組成物の発明，いわゆる医薬用途発明の場合，その医薬組成物を使用できるというためには，通常は当該薬理作用を確認した薬理試験の結果などを記載して，当該有効成分が実際に目的とする薬効を示すものであると当業者が客観的に理解できるように明細書に記載されている必要がある。 
　 
（２）特許法３６条４項への適合性の判断
　上記（１）をふまえ，本願明細書の発明の詳細な説明の３６条４項への適合性を以下で検討する。
　　
 （２−１）
　本願明細書の請求項の上記記載からみて，請求項１〜４８，６３に記載された発明は化合物の発明であると認められるので，まず，これら請求項に記載された発明についての本願明細書の発明の詳細な説明の記載を検討する。
　　
　本願明細書の【００３０】に列挙されている化合物名の中には，以下の化合物名の記載がある。 
　　
（ア）　「１−［２−｛［２−（｛６−アミノ−５−［ヒドロキシ（オキシド）アミノ］−２−ピリジニル｝アミノ）エチル］アミノ｝−４−（２，４−ジクロロフェニル）−５−ピリミジニル］−２−ピペラジノン」（以下，「例示化合物１」という。） 
「１−［６−｛［２−（｛６−アミノ−５−［ヒドロキシ（オキシド）アミノ］−２−ピリジニル｝アミノ）エチル］アミノ｝−２−（２，４−ジクロロフェニル）−３−ピリジニル］−４−メチル−２−ピペラジノン」（以下，「例示化合物２」という。） 
　 
　本願明細書には，以下のピペラジン環を有する化合物の実施例が記載されている。 
　　
（イ）　「【０３６２】 
　（実施例９３） 
　（［４−（２，４−ジクロロフェニル）−５−ピペラジニルピリミジン−２−イル］｛２−［（５−ニトロ（２−ピリジル））アミノ］エチル｝アミンの調製） 
　　　【０３６３】 
【化１０９】 
（式は省略） 
　（１．ｔｅｒｔ−ブチル　４−［２−（２，４−ジクロロフェニル）−２−オキソエチル］ピペラジンカルボキシレートの調製） 
　ＤＭＦ中の１ｍｍｏｌの２，４−ジクロロフェナシルクロライドを、ＤＭＦ中の１．ｍｍｏｌのｔｅｒｔ−ブチルピペラジンカルボキシレートおよび１．２ｍｍｏｌのＣｓ２ＣＯ３に、室温で１４時間滴下した。この反応混合物を真空中で濃縮し、そして水およびエチルアセテートで希釈した。この溶液をエチルアセテートで３回抽出し、硫酸ナトリウムで乾燥させ、そして５０％エチルアセテートおよび５０％ヘキサンを用いて溶出するカラムクロマトグラフィーによって精製し、ｔｅｒｔ−ブチル　４−［２−（２，４−ジクロロフェニル）−２−オキソエチル］ピペラジンカルボキシレートを得た。 
（途中略） 
　　　【０３６５】 
　（３．ｔｅｒｔ−ブチル　４−［４−（２，４−ジクロロフェニル）−２−（｛２−［（５−ニトロ（２−ピリジル））アミノ］エチル｝アミノ）ピリミジン−５−イル］ピペラジンカルボキシレートの調製） 
　１ｍｍｏｌのｔｅｒｔ−ブチル　４−｛２−（２，４−ジクロロフェニル）−１−［（ジメチルアミノ）メチレン］−２−オキソエチル｝ピペラジンカルボキシレート、１ｍｍｏｌのアミノ｛２−［（５−ニトロ（２−ピリジル））アミノ］−エチル｝カルボキサミジンおよび３ｍｍｏｌのＣｓ２ＣＯ３を、ＤＭＦ中に溶解させ、９０℃まで１４時間加熱した。この反応混合物を真空中で濃縮し、そして水およびエチルアセテートで希釈した。この溶液をエチルアセテートで３回抽出し、硫酸ナトリウムで乾燥させ、そして５％〜１０％メタノール／メチレンクロライドを用いて溶出するカラムクロマトグラフィーによって精製し、ｔｅｒｔ−ブチル　４−［４−（２，４−ジクロロフェニル）−２−（｛２−［（５−ニトロ（２−ピリジル））アミノ］エチル｝アミノ）ピリミジン−５−イル］ピペラジンカルボキシレートを得た。 
　　　【０３６６】 
　（４．［４−（２，４−ジクロロフェニル）−５−ピペラジニルピリミジン−２−イル］｛２−［（５−ニトロ（２−ピリジル））アミノ］エチル｝アミンの調製） 
　１ｍｍｏｌのｔｅｒｔ−ブチル　４−［４−（２，４−ジクロロフェニル）−２−（｛２−［（５−ニトロ（２−ピリジル））アミノ］エチル｝アミノ）ピリミジン−５−イル］ピペラジンカルボキシレートを、ＭｅＯＨ中の３ＭのＨＣｌ中で、６０℃まで１時間加熱し、そして真空中で濃縮し、［４−（２，４−ジクロロフェニル）−５−ピペラジニルピリミジン−２−イル］｛２−［（５−ニトロ（２−ピリジル））アミノ］エチル｝アミンを得た。 
　　　【０３６７】 
　ＨＰＬＣ：７．６８３分（純度１００％） 
　ＭＳ：ＭＨ＋＝４８９．１。 
　　　【０３６８】 
　（実施例９４） 
　（１−［２−（｛２−［（６−アミノ−５−ニトロ（２−ピリジル））アミノ］エチル｝アミノ）−４−（２，４−ジクロロフェニル）ピリミジン−５−イル］−４−メチルピペラジン−２，６−ジオンの調製） 
（途中略） 
　　　【０３７４】 
　（６．１−［２−（｛２−［（６−アミノ−５−ニトロ（２−ピリジル））アミノ］エチル｝アミノ）−４−（２，４−ジクロロフェニル）ピリミジン−５−イル］−４−メチルピペラジン−２，６−ジオンの調製） 
　１ｍｍｏｌの［５−アミノ−４−（２，４−ジクロロフェニル）ピリミジン−２−イル］｛２−［（６−アミノ−５−ニトロ（２−ピリジル））アミノ］エチル｝アミンおよび２ｍｍｏｌのメチルイミノ二酢酸、４ｍｍｏｌのＨＢＴＵおよび５ｍｍｏｌのＮ，Ｎ−ジイソプロピルエチルアミンを溶液に添加し、室温で６時間攪拌した。この反応混合物を真空中で濃縮し、そして水およびエチルアセテートで希釈した。この溶液をエチルアセテートで３回抽出し、硫酸ナトリウムで乾燥させ、そして５％〜１０％メタノール／メチレンクロライドを用いて溶出するカラムクロマトグラフィーによって精製し、１−［２−（｛２−［（６−アミノ−５−ニトロ（２−ピリジル））アミノ］エチル｝アミノ）−４−（２，４−ジクロロフェニル）ピリミジン−５−イル］−４−メチルピペラジン−２，６−ジオンを得た。 
　　　【０３７５】 
　ＨＰＬＣ：７．５６０分（純度９９％） 
　ＭＳ：ＭＨ＋＝５４６．１。」 
　 
　本願明細書の実施例２６５には，無細胞アッセイを使用する、ＧＳＫ３阻害活性についてのスクリーニング方法を説明する記載に続き，以下の記載がある。 
　　
（ウ）　「【０８６３】 
　次いで、本発明の化合物は、このアッセイに従って、ＧＳＫ３に対する阻害性活性をスクリーニングされる。以下の化合物が、この無細胞アッセイにおいて、ＧＳＫ３に関して、１０μＭ以下のＩＣ５０を示した：（４−フェニルピリミジン−２−イル）（２−（２−ピリジル）エチル）アミン、・・・ 
（途中略） 
１−［２−｛［２−（｛６−アミノ−５−［ヒドロキシ（オキシド）アミノ］−２−ピリジニル｝アミノ）エチル］アミノ｝−４−（２，４−ジクロロフェニル）−５−ピリミジニル］−２−ピペラジノン，・・・ 
（途中略） 
１−［６−｛［２−（｛６−アミノ−５−［ヒドロキシ（オキシド）アミノ］−２−ピリジニル｝アミノ）エチル］アミノ｝−２−（２，４−ジクロロフェニル）−３−ピリジニル］−４−メチル−２−ピペラジノン，・・・ 
（途中略） 
　　　【０８６５】 
　従って、これらの結果は、本発明の化合物が、ＧＳＫ３に対して阻害性活性を示すことを実証する。」  
　　　
　請求項１において，一般式中のＷが炭素または窒素であり，Ｘ，Ｙはともに窒素であり，Ａは式（ＩＩ）で表される２−ピリジル基であり，基Ｒ６は【化４】で表されるモノケトピペラジニル基であると定義されているから，請求項１に記載された発明の化合物は，Ｗが窒素または炭素である場合に応じて，それぞれ，（ａ）２−（２−ピリジルアミノエチルアミノ）−５−（２−ピペラジノン）−ピリミジン部分構造または（ｂ）２−（２−ピリジルアミノエチルアミノ）−５−（２−ピペラジノン）−ピリジン部分構造を有するとともに，請求項中に定義された縮合や置換基を有する場合があるものと認められる。また，請求項１８に記載された化合物は，上記２種類の化学構造のうち，上記（ａ）の構造を有し，請求項３４に記載された化合物は上記（ｂ）の構造を有するものであると認められる。 
　本願明細書の記載をみると，上記（ア）に記載された例示化合物１は，請求項１及び１８に記載された化合物の定義に該当し，例示化合物２は請求項１及び３４の定義に該当するものであると認められ，本願明細書には，請求項１，１８及び３４に記載された化合物の定義に該当する化合物の名称が記載されているということはできる。 
　しかし，本願明細書における化合物の製造に関する記載を検討すると，上記例示化合物１，２を実際に製造した実施例は記載されておらず，上記（ａ）または（ｂ）の構造を有する化合物を製造した実施例は一切記載されていない。 
　また，本願明細書におけるその他のピペラジン環構造を有する化合物の製造に関する記載をみると，（イ）で指摘した（実施例９３）には，（［４−（２，４−ジクロロフェニル）−５−ピペラジニルピリミジン−２−イル］｛２−［（５−ニトロ（２−ピリジル））アミノ］エチル｝アミンを調製した参考例が記載され，（実施例９４）には，（１−［２−（｛２−［（６−アミノ−５−ニトロ（２−ピリジル））アミノ］エチル｝アミノ）−４−（２，４−ジクロロフェニル）ピリミジン−５−イル］−４−メチルピペラジン−２，６−ジオンを製造した参考例が記載されている。 
　実施例９３の化合物は，ピペラジン環の炭素原子に置換基を有しておらず，請求項１に記載された一般式におけるＲ６が環炭素原子上にオキソ基を有しない点で，本願請求項１に記載の化合物とは相違する。実施例９３の化合物の製造においては，ピペラジン環を有し，ピリミジン環を有していない化合物であるｔｅｒｔ−ブチルピペラジンカルボキシレートから出発して，ｔｅｒｔ−ブチル　４−｛２−（２，４−ジクロロフェニル）−１−［（ジメチルアミノ）メチレン］−２−オキソエチル｝ピペラジンカルボキシレートを得て，これをアミノ｛２−［（５−ニトロ（２−ピリジル））アミノ］−エチル｝カルボキサミジンと反応させ，ピリミジン環を形成することによって，ｔｅｒｔ−ブチル　４−［４−（２，４−ジクロロフェニル）−２−（｛２−［（５−ニトロ（２−ピリジル））アミノ］エチル｝アミノ）ピリミジン−５−イル］ピペラジンカルボキシレートを製造している。本願明細書には，この反応に準じて，実施例９３に記載された化合物のピペラジン環に対応する置換基としてモノケトピペラジン構造を有する化合物を製造する場合に，どのような中間体を用いて，どのような反応条件で反応を行えばよいのかを説明する記載はない。また，実施例９３に記載された化合物のように，オキソ基を有していないピペラジン化合物から，どのようにすれば他の置換基に影響を与えずにピペラジン環上の炭素原子の２位に１個だけオキソ基を導入することができるのか，その方法を説明する記載はない。 
　実施例９４の化合物は，ピペラジン環の炭素原子にオキソ基が結合したケトピペラジン構造を有しているが，ピペラジン環の炭素原子に２個のオキソ基が置換しており，当該基が１個のみである（ａ）の構造を有する請求項１及び１８に記載された化合物とは相違する。実施例９４に記載された製造方法では，ピペラジン環の形成をピリミジン中間体の５−位に結合したアミノ基とメチルイミノ二酢酸の二つのカルボキシル基の反応によって行った結果，メチルイミノ二酢酸の２つのカルボキシル基に対応して２つのオキソ基を有するピペラジン環構造が生じており，メチルイミノ二酢酸の代わりにカルボキシル基が１個の化合物を用いると，ピペラジン環の環構造に閉環することができないため，原料化合物を選択してこの実施例の反応を行っても，モノケトピペラジン環構造を有する化合物を得ることはできない。 
　本願明細書全体の記載をみても，上記（ａ）のモノケトピペラジン環構造が結合するピリミジン環上の２位に特定の置換基が結合した構造を有する化合物を製造するための原料化合物，反応の順序や条件等の記載はなく，本願明細書には何らの手がかりとなる記載もないといわざるを得ない。出願時の技術常識を考慮しても，このような本願明細書の記載に基づき（ａ）の構造を有する請求項１，１８に記載された化合物を製造するには，当業者に通常期待される程度をこえる試行錯誤を要するものであって，請求項１，１８に記載された化合物を製造することができるように本願明細書の発明の詳細な説明に明確かつ十分な記載がされているとはいえない。 
　また，本願明細書の記載を検討しても，上記（ｂ）の構造を有する請求項３４に記載された化合物を製造するための手がかりとなるような記載が見出せず，出願時の技術常識を考慮しても，当業者に通常期待される程度の試行錯誤をこえる負担なしには本願明細書の記載に基づき，請求項３４に記載されたモノケトピペラジン環構造を有する化合物を製造できるとはいえないから，本願明細書の発明の詳細な説明には請求項３４に記載された化合物を製造できる程度の記載がされているとはいえない。 　
　請求項２〜１７，１９〜３３，３５〜４８，６３に記載された発明も，請求項１，１８，３４を直接または間接的に引用して記載され，上記（ａ）または（ｂ）のいずれかの構造を有する化合物の発明であるから，本願明細書の発明の詳細な説明に当業者が請求項２〜１７，１９〜３３，３５〜４８，６３に記載された化合物を製造できる程度の記載がされているとはいえない。 
　 　
（２−２）次に，請求項４９〜５７，６４に記載された発明について，本願明細書の発明の詳細な説明の記載の３６条４項への適合性を検討する。ここで，請求項の上記記載からみて，請求項４９〜５７，６４に記載された発明は，化合物の特定の薬理作用を利用した医薬用途発明であると認められる。
　　
ｉ）　上記（２−１）でのべたように，出願時の技術常識を考慮しても，本願明細書の発明の詳細な説明には，請求項１，１８，３４に記載された化合物を製造して入手できる程度に記載されているとはいえないのであるから，これら請求項を直接または間接的に引用し，当該化合物を含む組成物の発明として記載された請求項４９〜５７に記載された発明についても，本願明細書の発明の詳細な説明にその物を製造できるように記載されているとはいえない。同様に，請求項１，１８，３４に記載された化合物を使用する請求項６４に記載された医薬の製造における化合物の使用の発明について，当該発明に使用される化合物を入手できるように本願明細書の発明の詳細な説明に記載されていないのであるから，本願明細書の発明の詳細な説明には，請求項６４に記載された発明を使用できる程度の記載がされているとはいえない。 
　
ｉｉ）　請求項４９〜５７，６４に記載された発明のような医薬用途発明については，明細書に当該組成物または医薬が目的とする薬効を発揮し，その医薬用途に使用できる程度の記載をする必要があり，通常は，化合物が特定の薬理作用を示し，目的とする薬効を示すことを確認した薬理試験等の結果を記載して，当業者が客観的に理解できるように明細書に記載する必要がある点については，（１）ですでに述べたとおりである。 
　そこで，さらに，請求項４９〜５７に記載された組成物及び請求項６４における医薬について，本願明細書における薬効の客観的な評価に関する記載を検討する。 
　上記（２−１）（ウ）で指摘した本願明細書の実施例２５６には，【０８６３】の「次いで、本発明の化合物は、このアッセイに従って、ＧＳＫ３に対する阻害性活性をスクリーニングされる。以下の化合物が、この無細胞アッセイにおいて、ＧＳＫ３に関して、１０μＭ以下のＩＣ５０を示した：」との記載に続いて，請求項１に記載された化合物に該当する化合物とその他の化合物の名称が公表公報の頁数にして１４頁に亘って列挙されている。 
　上記実施例２５６の記載は，その評価結果がＩＣ５０で１０μＭ以下という上限で規定された数値範囲で記載されているが，本願明細書には，請求項４９〜５７，６４に記載された医薬用途において，１０μＭ以下のＩＣ５０が薬効の評価上どの程度の意味をもつのかについて説明する記載がなく，【０１１９】に化合物を治療的有効量で投与する場合の量について，約０．１ｍｇ／ｋｇ／日〜約１００ｍｇ／ｋｇ／日という漠然とした記載があるにとどまる。 
　出願人は平成２０年７月１０日に提出した手続補正書によって補正した審判請求書において，実施例２５６に記載された化合物についてのＩＣ５０の具体的な値を提示しているが，これらの値は，０．０１μＭのオーダーのものが大部分であり，本願明細書に記載された１０μＭ以下という記載から認識できる範囲の数値ではない。したがって，審判段階で具体的ＩＣ５０の数値が明らかにされたことをもって，請求項１に記載された化合物が実際にＧＳＫ阻害作用を有し，当該化合物を医薬の有効成分とした場合に所期の薬効を示すと客観的に判断することができるように本願明細書に記載されているということはできない。 
　したがって，本願明細書の発明の詳細な説明には，医薬用途発明である請求項４９〜５７に記載された発明の組成物及び請求項６４における医薬の製造のための使用方法が使用できる程度の記載がされているとはいえない。 
　　
（３）特許法３６条４項への適合性についてのむすび
　本願明細書の発明の詳細な説明の記載は，請求項１〜５７，６３〜６４に記載された発明について，当業者がその実施をすることができる程度に明確かつ十分に記載したものとはいえないから，特許法３６条４項の規定に適合するものではない。
　 　
５．特許法３６条６項１号への適合性について
　　
（１）特許法３６条６項１号の規定
　特許法３６条６項１号は，特許請求の範囲の請求項に記載された発明について，「特許を受けようとする発明が発明の詳細な説明に記載したものであること。」を求めている。３６条６項１号の規定の適合性，いわゆる明細書のサポート要件については，以下のように解されている。
　「特許請求の範囲の記載が，明細書のサポート要件に適合するか否かは，特許請求の範囲の記載と発明の詳細な説明の記載とを対比し，特許請求の範囲に記載された発明が，発明の詳細な説明に記載された発明で，発明の詳細な説明の記載により当業者が当該発明の課題を解決できると認識できる範囲のものであるか否か，また，その記載や示唆がなくとも当業者が出願時の技術常識に照らし当該発明の課題を解決できると認識できる範囲のものであるか否かを検討して判断すべきものであり，明細書のサポート要件の存在は，特許出願人（特許拒絶査定不服審判請求を不成立とした審決の取消訴訟の原告）又は特許権者（平成１５年法律第４７号附則２条９項に基づく特許取消決定取消訴訟又は特許無効審判請求を認容した審決の取消訴訟の原告，特許無効審判請求を不成立とした審決の取消訴訟の被告）が証明責任を負うと解するのが相当である。」（平成１７年１１月１１日知的財産高等裁判所判決（平成１７年（行ケ）第１００４２号特許取消決定取消請求事件））
　　
（２）特許法３６条６項１号への適合性の判断
　上記５．（１）をふまえ，本願明細書の特許請求の範囲の記載の３６条６項１号への適合性を，以下で検討する。
　　
 （２−１）
　本願明細書の請求項の上記記載からみて，請求項１〜４８，６３に記載された発明は化合物の発明であると認められるので，まず，これら請求項に記載された発明について３６条６項１号への適合性を検討する。
　本願明細書には，以下の記載がある。
　
（エ）「【０００１】
（発明の分野）
　本発明は、グリコゲンシンターゼキナーゼ３（ＧＳＫ３）の活性を阻害する、新規なピリミジン誘導体およびピリジン誘導体に関し、そしてこの化合物を含む薬学的組成物に関し、そしてこの化合物および組成物を、単独でかまたは他の薬学的に活性な因子と組合せて使用することに、関する。本発明により提供される化合物および組成物は、ＧＳＫ３活性により媒介される障害（例えば、糖尿病、アルツハイマー病および他の神経変性障害、肥満、アテローム性動脈硬化症性心血管疾患、本態性高血圧症、多嚢胞性卵巣症候群、Ｘ症候群、虚血（特に大脳虚血）、外傷性脳損傷、双極性障害、免疫不全、ならびに癌）の処置において有用性を有する。」
　　
　請求項１〜４８，６３において，化合物自体の発明が記載されていること及び本願明細書の上記（エ）に「グリコゲンシンターゼキナーゼ３（ＧＳＫ３）の活性を阻害する、新規なピリミジン誘導体およびピリジン誘導体に関し」と記載されていることからみて，当該請求項に記載された発明は，グリコゲンシンターゼキナーゼ３（ＧＳＫ３）の活性を阻害する医薬への応用が期待される新規化合物を提供するという課題を解決しようとしたものであると認められる。
　上記課題に対し，本願明細書には，本願明細書に参考例として記載された実施例２〜２５５に，化合物の製造を記載した具体的製造例が記載されている。これら製造例に記載された化合物は，請求項１〜４８，６３に記載された化合物の定義には該当しないものである。そして，出願時の技術常識を考慮しても，本願明細書に記載された化合物の製造方法を請求項１〜４８，６３に記載された化合物の製造に適用することができない点については，すでに上記４．（２）（２−１）においてのべたとおりである。
　このように，請求項１〜４８，６３において定義された構造を有する化合物は，発明の詳細な説明の記載から，実際に提供可能なものとして当業者が認識することができないものであるから，請求項１〜４８，６３に記載された化合物の発明は，本願明細書の発明の詳細な説明の記載により当業者がグリコゲンシンターゼキナーゼ３（ＧＳＫ３）の活性を阻害する医薬としての有用性が期待される新規化合物を提供するという課題を解決できると認識できる範囲のものであるということはできず，また，当業者が出願時の技術常識に照らし当該発明の課題を解決できると認識できる範囲のものであるということもできない。
　　
（２−２）次に，請求項４９〜５７，６４に記載された医薬用途発明について，３６条６項１号への適合性を検討する。
　請求項４９〜５７，６４の記載及び本願明細書の上記５．（２）（２−１）（エ）で指摘した記載からみて，請求項４９〜５７，６４に記載された発明は，請求項１，１８，３４に定義された化学構造を有する化合物のグリコゲンシンターゼキナーゼ３（ＧＳＫ３）の活性を阻害する薬理作用を利用して，ＧＳＫ３活性により媒介される障害である糖尿病などを処置するために用いる医薬を提供するという課題を解決しようとしたものと認められる。
　しかし，上記４．（２）（２−２）ｉ）でのべたように，請求項４９〜５７，６４に記載された医薬用途発明における化合物を入手することができるような記載が本願明細書においてされていないのであり，上記４．（２）（２−２）ｉｉ）でのべたように，請求項４９〜５７，６４に記載された発明における化合物が実際にＧＳＫ阻害作用を有し，当該化合物を医薬の有効成分とした場合に所期の薬効を示すと客観的に判断することができるように本願明細書に記載されていないのであるから，本願明細書の発明の詳細な説明の記載から，請求項４９〜５７に記載された医薬組成物及び請求項６４に記載された化合物の使用によって，ＧＳＫ３活性により媒介される障害である糖尿病などを処置するための医薬を提供するという課題を解決できると当業者に認識できるということはできず，また，請求項４９〜５７に記載された医薬組成物及び請求項６４に記載された化合物の使用によって，当該課題を解決できることが出願時の技術常識から当業者に認識できるということもできない。
　したがって，請求項４９〜５７，６４に記載された発明は，本願明細書の発明の詳細な説明の記載により当該発明の課題を解決できると当業者に認識できる範囲のものでなく，また，当業者が出願時の技術常識に照らし当該発明の課題を解決できると認識できる範囲のものでもない。
　
（３）３６条６項１号への適合性についてのむすび
　請求項１〜５７，６３〜６４に記載された発明は，発明の詳細な説明の記載により当業者が当該発明における課題を解決できると認識することができる範囲のものでなく，また，その記載や示唆がなくとも当業者が出願時の技術常識に照らし当該発明の課題を解決できると認識できる範囲のものでもないから，本願明細書の特許請求の範囲の記載は特許法３６条６項１号に適合するものではない。
　 
６．むすび 
　以上のとおり，本願明細書の発明の詳細な説明の記載は特許法３６条４項に適合するものでなく，また，特許請求の範囲の記載は同条６項１号に適合するものではないから，本願は特許法３６条４項及び同条６項に規定する要件を満たしていない。
　よって，結論のとおり審決する。